(57)【要約】【課題】地域の設定を簡便に行うことが可能な放送受信装置、ＡＶ装置及びテレビジョン受信機を提供する。【解決手段】地域・県域、及びその地域・県域に応じた複数の放送チャンネルの関係を示す関係情報が、ＣＰＵ２１からアクセス可能な状態でＲＡＭ２３に記憶されている。自身の位置情報としての経緯度のデータを有する電気機器９と通信可能に接続された場合、通信部２６を介して電気機器９から経緯度のデータを取得し、取得したデータによって表される経緯度を地域・県域に変換し、変換した地域・県域に応じた複数の放送チャンネルを前記関係情報から読み出し、読み出した放送チャンネルの１つを選局する。【選択図】図１
2014068159.tif 000002
【特許請求の範囲】
【請求項１】
地域と該地域に応じた複数の放送チャンネルとの関係を示す関係情報にアクセス可能にしてあり、一の地域に対応して前記関係情報から読み出した放送チャンネルを選局して放送信号を受信する放送受信装置において、
無線通信を行う通信部と、
該通信部と通信可能に接続されるべき電気機器から該電気機器の位置情報を取得する手段と、
該手段が取得した位置情報によって示される位置が含まれる地域を特定する手段とを備え、
該手段が特定した地域を前記一の地域とするようにしてあること
を特徴とする放送受信装置。
【請求項２】
前記通信部は、Ｗｉ−Ｆｉ  Ｄｉｒｅｃｔ規格に準拠する無線通信を行うようにしてあることを特徴とする請求項１に記載の放送受信装置。
【請求項３】
請求項１又は２に記載の放送受信装置を備えることを特徴とするＡＶ装置。
【請求項４】
請求項１又は２に記載の放送受信装置と、
映像信号に基づく映像を表示する表示装置とを備え、
前記放送受信装置は、テレビジョン放送の放送信号を受信するようにしてあり、
前記放送受信装置が受信した放送信号に基づいて、前記表示装置に映像を表示するようにしてあること
を特徴とするテレビジョン受信機。
【発明の詳細な説明】
【技術分野】
【０００１】
本発明は、地域に応じた放送チャンネルを選局して放送信号を受信する放送受信装置、並びに該放送受信装置を備えるＡＶ装置及びテレビジョン受信機に関する。
【背景技術】
【０００２】
放送受信装置及び該放送受信装置を備えるＡＶ装置の中には、設置されている地域に応じた放送チャンネルを選局して放送信号を受信するものがある。これらの装置では、例えばリモートコントローラのチャンネルキーの番号と放送チャンネルとが対応付けられており、ユーザインタフェースから受け付けたチャンネルキーの番号に対応する放送チャンネルを選局するようになっている。
【０００３】
一方、これらの装置で初期設定が行われる場合、又は設置される地域が変更された場合は、例えば全チャンネルサーチを行うか、又は地域の設定をやり直すことによって上記の対応付けを更新する必要がある。
【０００４】
これに対し特許文献１では、プリセットされている放送チャンネルの受信電界強度を一定時間間隔で自動的に測定し、受信電界強度が基準電界強度以下となる放送チャンネルの数が設定した範囲内まで減少した場合に全チャンネルサーチを伴うオートプリセットを自動的に実行して、前記対応付けの再構築を行う技術が開示されている。
【０００５】
また、特許文献２に開示されたＧＰＳ受信装置では、ＧＰＳ衛星から送信されるＧＰＳ信号を受信して求めたデータに含まれる経緯度を、現在位置データとして利用することが可能であり、この機能を利用して地域の設定を自動的に行うことが考えられる。
【先行技術文献】
【特許文献】
【０００６】
【特許文献１】特開２００４−１４０５５７号公報
【特許文献２】特開２０００−１３７０６６号公報
【発明の概要】
【発明が解決しようとする課題】
【０００７】
しかしながら、特許文献１に開示された技術では、使用者が意図しないときに行われるオートプリセットに長時間を要し、その間は使用者が視聴するための放送信号を受信することができない。また、特許文献２に開示された機能を実現する回路を放送受信装置及びＡＶ装置に搭載するには、基板面積及び装置の容積が増大する上にコストアップとなる問題がある。
【０００８】
本発明は斯かる事情に鑑みてなされたものであり、その目的とするところは、地域の設定を簡便に行うことが可能な放送受信装置、ＡＶ装置及びテレビジョン受信機を提供することにある。
【課題を解決するための手段】
【０００９】
本発明に係る放送受信装置は、地域と該地域に応じた複数の放送チャンネルとの関係を示す関係情報にアクセス可能にしてあり、一の地域に対応して前記関係情報から読み出した放送チャンネルを選局して放送信号を受信する放送受信装置において、無線通信を行う通信部と、該通信部と通信可能に接続されるべき電気機器から該電気機器の位置情報を取得する手段と、該手段が取得した位置情報によって示される位置が含まれる地域を特定する手段とを備え、該手段が特定した地域を前記一の地域とするようにしてあることを特徴とする。
【００１０】
本発明にあっては、地域及びその地域に応じた複数の放送チャンネルの関係を示す関係情報が、アクセス可能な状態で自装置内に又は外部に準備されている。自身の位置情報を有する電気機器と通信可能に接続された場合、通信部を介して電気機器からの位置情報を取得し、取得した位置情報によって示される位置が含まれる地域を特定し、特定した地域に応じた複数の放送チャンネルを前記関係情報から読み出し、読み出した放送チャンネルの１つを選局する。
これにより、通信可能に接続された電気機器が所在する地域を、自装置が所在する地域として特定し、特定した地域における放送チャンネルのうちから一の放送チャネルを選局して放送信号を受信する。
【００１１】
本発明に係る放送受信装置は、前記通信部は、Ｗｉ−Ｆｉ  Ｄｉｒｅｃｔ規格に準拠する無線通信を行うようにしてあることを特徴とする。
【００１２】
本発明にあっては、通信部が、Ｗｉ−Ｆｉ  Ｄｉｒｅｃｔ（登録商標）（Wi-Fi CERTIFIED Wi-Fi Direct ）規格に準拠する無線通信を行うため、例えばボタン一つで電気機器と無線通信可能に相互接続することができ、接続を設定する手間が省かれる。
【００１３】
本発明に係るＡＶ装置は、上述の放送受信装置を備えることを特徴とする。
【００１４】
本発明にあっては、地域の設定を自動的に行うことが可能な放送受信装置が広くＡＶ装置に適用される。
【００１５】
本発明に係るテレビジョン受信機は、上述の放送受信装置と、映像信号に基づく映像を表示する表示装置とを備え、前記放送受信装置は、テレビジョン放送の放送信号を受信するようにしてあり、前記放送受信装置が受信した放送信号に基づいて、前記表示装置に映像を表示するようにしてあることを特徴とする。
【００１６】
本発明にあっては、地域の設定を自動的に行うことが可能な放送受信装置がテレビジョン受信機に適用される。
【発明の効果】
【００１７】
本発明によれば、通信可能に接続された電気機器が所在する地域を、自装置が所在する地域として特定し、特定した地域における放送チャンネルのうちから一の放送チャネルを選局して放送信号を受信する。
従って、地域の設定を簡便に行うことが可能となる。
【図面の簡単な説明】
【００１８】
【図１】本発明に係るテレビジョン受信機の構成例を示すブロック図である。
【図２】地域の設定を行うための操作画面の表示例を示す説明図である。
【図３】地上波デジタル放送の地域・県域に割り当てられたリモコン番号及び放送局を例示する図表である。
【図４】電気機器から取得した位置情報に基づいてリモコン番号と放送チャンネルとの対応付けを行うＣＰＵの処理手順を示すフローチャートである。
【発明を実施するための形態】
【００１９】
以下、本発明をその実施の形態を示す図面に基づいて詳述する。
図１は、本発明に係るテレビジョン受信機の構成例を示すブロック図である。図中１はテレビジョン受信機であり、テレビジョン受信機１は、テレビジョン放送の放送チャンネルを選局して放送信号を受信し、受信した放送信号に基づいて映像を表示部（表示装置に対応）１５に表示すると共に、音声をスピーカ１８から出力する。テレビジョン受信機１には、リモートコントローラ（以下、リモコンという）３が付属している。なお、リモコン３が付属するテレビジョン受信機１のうち、表示部１５及びスピーカ１８を除く部分が放送受信装置に対応する。
【００２０】
テレビジョン受信機１のチューナ部１１は、図示しないアンテナに接続されている。チューナ部１１は、選局部２４によって放送チャンネルを選局して放送信号を受信し、受信した放送信号を復調部１２に与える。復調部１２は、放送信号を復調してテレビジョン放送に係るデジタルデータ（トランスポートストリーム  以下ＴＳ信号という）を生成し、生成したＴＳ信号を分離部１３に与える。
【００２１】
復調部１２が分離部１３へ与えるＴＳ信号には、テレビジョン放送に係る番組の映像データ及び音声データ、並びに、番組情報等が含まれている。分離部１３は、与えられたＴＳ信号を映像データ、音声データ及び番組情報等に分離する。分離部１３は、分離した映像データを映像処理部１４に与え、音声データを音声処理部１７に与え、番組情報を番組情報処理部１６に与える。
【００２２】
映像処理部１４は、分離部１３から与えられた映像データをデコードし、例えばフレーム画像に対してガンマ補正などの種々の画像処理を行った後、表示部１５の表示に適した映像信号に変換し、変換した映像信号を表示部１５に出力する。表示部１５は、例えば液晶パネルなどの表示デバイスを用いて構成される。表示部１５は、映像処理部１４から与えられた映像信号に基づいて映像を表示する。
【００２３】
分離部１３から番組情報処理部１６へ与えられる番組情報は、放送予定の番組の一覧（いわゆる番組表）又は各番組に関する情報（例えば番組が映画であれば出演者及び制作年等の情報）等である。番組情報処理部１６は、ユーザの操作に応じて表示部１５に番組情報を表示するため、必要な番組情報を抽出して映像処理部１４に与える。映像処理部１４は、番組情報処理部１６から与えられた番組情報を表示部１５に表示させる。
【００２４】
音声処理部１７は、分離部１３から与えられた音声データをデコードし、ユーザの設定した音量となるように増幅した音声信号をスピーカ１８へ出力する。スピーカ１８は、音声処理部１７から与えられた音声信号に基づいて音声出力を行う。
【００２５】
またテレビジョン受信機１は、ＣＰＵ（Central Processing Unit ）２１、ＲＯＭ（Read Only Memory ）２２、ＲＡＭ（Random Access Memory ）２３、赤外線受光部２５、及び通信部２６を備えており、これらの各部が、上述の選局部２４と共に、バス２９を介してデータの授受を行う。図示は省略するが、上述の映像処理部１４、番組情報処理部１６及び音声処理部１７もバス２９に接続されており、バス２９を介したデータの授受を行うことができる。ＣＰＵ２１は、ＲＯＭ２２に予め記憶された制御プログラムを読み出して実行することにより、テレビジョン受信機１内の各部の動作を制御する。
【００２６】
通信部２６は、テレビジョン受信機１外部の電気機器９との間でＷｉ−Ｆｉ  Ｄｉｒｅｃｔ規格に準拠する無線通信を行う。電気機器９は、例えば、スマートフォン等のモバイル機器からなる。Ｗｉ−Ｆｉ  Ｄｉｒｅｃｔは、Ｗｉ−Ｆｉアライアンスが策定した無線ＬＡＮの仕様であり、従来のＷｉ−Ｆｉ（登録商標）と同様に、ＷＰＡ（登録商標）２（Wi-Fi Protected Access2 ）によるセキュリティ保護がなされた無線接続を提供する。電気機器９は、ＧＰＳ受信機を備え、ＧＰＳ信号を随時受信して自装置の所在位置を示す経緯度のデータ（位置情報）を生成する。生成された経緯度のデータは、図示しないＲＡＭに記憶される。
【００２７】
Ｗｉ−Ｆｉ  Ｄｉｒｅｃｔによれば、ＰＢＣ（Push Button Configuration ）方式によるＷＰＳ（登録商標）（Wi-Fi Protected Setup）機能を利用して、ボタンを押下するだけでアクセスポイントなしでのＰ２Ｐ（Pier to Pier ）接続が可能となるため、装置間の接続が簡略化される。
【００２８】
なお、通信部２６及び電気機器９は、Ｗｉ−Ｆｉ規格又はＷｉ−Ｆｉ  Ｄｉｒｅｃｔ規格に対応するものであるが、少なくとも一方がＷｉ−Ｆｉ  Ｄｉｒｅｃｔ規格に対応していれば、Ｗｉ−Ｆｉ  Ｄｉｒｅｃｔによる接続が可能である。また、通信部２６及び電気機器９の間の接続は、Ｗｉ−Ｆｉ  Ｄｉｒｅｃｔ規格によるものに限定されず、使用者の操作が簡略化されるのであれば、Ｂｌｕｅｔｏｏｔｈ（登録商標）等の他の通信規格によるものであってもよい。
【００２９】
リモコン３は、放送チャンネルに対応する番号が付与されているチャンネルキー及びその他の操作キーを有する操作部３１を備える。操作部３１が操作された場合、操作に応じた赤外線信号が赤外線受光部２５に対して送信されるように構成されており、使用者がテレビジョン受信機１の各種操作を遠隔で行うことが可能となる。例えば、操作部３１のチャンネルキーが押下された場合、押下されたチャンネルキーの番号（以下、リモコン番号という）に対応する放送チャンネルが選局されて、使用者が所望するテレビジョン放送の放送信号が受信される。
【００３０】
さて、テレビジョン受信機１が初期設定される場合、又はテレビジョン受信機１が設置される地域が変更された場合、リモコン番号と放送チャンネルとの対応付けを設定又は変更する必要がある。このような対応付けの設定又は変更を行う１つの方法として、表示部１５に表示される画面から地域の設定を行う方法がある。
【００３１】
図２は、地域の設定を行うための操作画面の表示例を示す説明図である。使用者は地域の設定を行う場合、まず「地域選択」又は「郵便番号設定」の何れかを操作部３１の操作キーで選択する。「地域選択」を選択する場合は、図２に表示された地域の名称を操作キーで選択し、更に図示しない次の画面にて操作キーで「県域（都道府県名等）」を選択する。「郵便番号設定」を選択する場合は、チャンネルキーを用いて郵便番号を入力する。ここで入力された郵便番号は、ＣＰＵ２１が行う変換処理により、対応する地域・県域に変換される。
【００３２】
図３は地上波デジタル放送の地域・県域に割り当てられたリモコン番号及び放送局を例示する図表である。リモコン番号としては、１から１２までの数値が用いられる。このような地域・県域と、リモコン番号（リモコンキーＩＤともいう）及び放送局（放送局名及び放送チャンネルの番号を含む）との関係を示す関係情報がＲＯＭ２２に記憶されている。但し、関係情報をＲＯＭ２２に記憶するのではなく、図示しない外部インタフェースにより、自装置の外部に準備された関係情報を取得して参照するようにしてもよい。地上波デジタル放送では、放送チャンネルの番号、即ち物理的なチャンネル番号と、リモコン番号とは一致しないが、図３に示すような関係情報から、自装置が所在する地域・県域に応じた放送チャンネルのチャンネル番号及び放送局名を読み出してリモコン番号に対応付けることができる。
【００３３】
リモコン番号と放送チャンネルとの対応付けを行うもう１つの方法として、地上波デジタルの放送チャンネルをチャンネル番号順に選局し、選局した放送チャンネルの放送信号に含まれるＳＩ（Service Information ）情報からリモコンキーＩＤを読み出して、該リモコンキーＩＤと同一の数値を有するリモコン番号と、放送チャンネルとを対応付ける、いわゆるオートプリセットがある。
【００３４】
以上で説明した２つの方法によれば手間や時間がかかるため、本実施の形態では、電気機器９とＷｉ−Ｆｉ  ＤｉｒｅｃｔでＰ２Ｐ接続して位置情報を取得し、取得した位置情報に基づいて特定した地域を自装置が所在する地域とすることにより、使用者による地域の設定を省略する。以下では、地域の設定を省略するための具体的な処理内容について、フローチャートを用いて説明する。
【００３５】
図４は、電気機器９から取得した位置情報に基づいてリモコン番号と放送チャンネルとの対応付けを行うＣＰＵ２１の処理手順を示すフローチャートである。図４の処理は、電気機器９との間でＷｉ−Ｆｉ  ＤｉｒｅｃｔによるＰ２Ｐ接続が構築可能となったときに起動される。Ｗｉ−Ｆｉ  ＤｉｒｅｃｔによるＰ２Ｐ接続の手順は規格で規定されているため、その詳細な説明を省略する。
【００３６】
例えば、通信部２６が、接続を要求する外部機器を検出しているときに、電気機器９でいわゆるＷＰＳボタンが押下された場合、表示部１５に電気機器９のデバイス名がポップアップで表示される。この場合、使用者がリモコン３を用いて、接続を希望するデバイス（この場合は電気機器９）の選択、又は電気機器９との接続の許可を行うことにより、通信部２６及び電気機器９間におけるＰ２Ｐ接続が完了する。例えば、テレビジョン受信機１の本体部又はリモコン３の操作部３１にＷＰＳボタンが準備されている場合は、テレビジョン受信機１側でもＷＰＳボタンを押下するだけで、電気機器９とのＰ２Ｐ接続が完了する。その後、図４に示す処理が、使用者の介在なしに実行される。
【００３７】
図４の処理が起動された場合、ＣＰＵ２１は、電気機器９とのＰ２Ｐ接続が完了したか否かを判定し（Ｓ１１）、接続が完了するまで待機する（Ｓ１１：ＮＯ）。Ｐ２Ｐ接続が完了した場合（Ｓ１１：ＹＥＳ）、ＣＰＵ２１は、通信部２６を介して電気機器９に経緯度の要求を送信する（Ｓ１２）。
【００３８】
一方の電気機器９では、図示しないＣＰＵ（以下、単にＣＰＵという）が、テレビジョン受信機１とのＰ２Ｐ接続が完了したか否かを判定して（Ｓ２１）、接続が完了するまで待機している（Ｓ２１：ＮＯ）。Ｐ２Ｐ接続が完了した場合（Ｓ２１：ＹＥＳ）、ＣＰＵは、テレビジョン受信機１から要求を受信したか否かを判定し（Ｓ２２）、受信するまで待機する（Ｓ２２：ＮＯ）。
【００３９】
要求を受信した場合（Ｓ２２：ＹＥＳ）、ＣＰＵは、受信した要求が経緯度の要求であるか否かを判定し（Ｓ２３）、経緯度の要求である場合（Ｓ２３：ＹＥＳ）、自装置の所在位置を示す経緯度のデータを図示しないＲＡＭから読み出し（Ｓ２４）、読み出したデータを含む応答をテレビジョン受信機１に送信する（Ｓ２５）。受信した要求が経緯度の要求ではない場合（Ｓ２３：ＮＯ）、ＣＰＵは、他の要求に対する処理を実行する（Ｓ２６）。
【００４０】
ステップＳ２５又はＳ２６の処理を終えた場合、ＣＰＵは、テレビジョン受信機１とのＰ２Ｐ接続が切断されたか否かを判定し（Ｓ２７）、切断された場合（Ｓ２７：ＹＥＳ）に図４の処理を終了するのに対して、切断されていない場合（Ｓ２７：ＮＯ）は、再び要求を待ち受けるためにステップＳ２２に処理を移す。
【００４１】
他方のテレビジョン受信機１では、ＣＰＵ２１が、通信部２６を介して電気機器９から応答を受信したか否かを判定し（Ｓ１３）、受信するまで待機している（Ｓ１３：ＮＯ）。応答を受信した場合（Ｓ１３：ＹＥＳ）、ＣＰＵ２１は、受信した応答に含まれるデータによって表される経緯度を、地域・県域に変換する（Ｓ１４）。ここでの変換に用いる変換情報としては、例えば、経緯度と地域・県域とを対応付けるテーブルをＲＯＭ２２に記憶しておけばよい。
【００４２】
次に、ＣＰＵ２１は、ＲＯＭ２２に記憶している上述の関係情報を参照し、ステップＳ１４で変換して求めた地域・県域に対応する放送局名及びチャンネル番号を読み出す（Ｓ１５）。そして、ＣＰＵ２１は、読み出した各放送局名及びチャンネル番号の夫々をリモコン番号の１から１２に対応付けする（Ｓ１６）。
【００４３】
その後、ＣＰＵ２１は、電気機器９とのＰ２Ｐ接続の切断を、自装置の通信ソフトウエアに要求して（Ｓ１７）図４の処理を終了する。
なお、読み出したチャンネル番号の夫々について順次放送信号の受信を試み、実際に放送信号が受信できたチャンネル番号をリモコン番号に対応付けするようにしてもよい。
【００４４】
以上のように本実施の形態によれば、地域・県域、及びその地域・県域に応じた複数の放送チャンネルの関係を示す関係情報が、ＣＰＵからアクセス可能な状態でＲＡＭに記憶されている。自身の位置情報としての経緯度のデータを有する電気機器と通信可能に接続された場合、通信部を介して電気機器から経緯度のデータを取得し、取得したデータによって表される経緯度を地域・県域に変換し、変換した地域・県域に応じた複数の放送チャンネルを前記関係情報から読み出し、読み出した放送チャンネルの１つを選局する。
これにより、通信可能に接続された電気機器が所在する地域を、自装置が所在する地域として特定し、特定した地域における放送チャンネルのうちから一の放送チャネルを選局して放送信号を受信する。
従って、自装置で位置情報を生成することなしに、地域の設定を簡便に行うことが可能となる。
【００４５】
また、通信部が、Ｗｉ−Ｆｉ  Ｄｉｒｅｃｔ規格に準拠する無線通信を行うため、例えばボタン一つで電気機器と無線通信可能に相互接続することができるため、接続を設定する手間を省くことが可能となる。
【００４６】
更に、地域の設定を自動的に行うことが可能な放送受信装置を、ＨＤＤ（Hard Disk Drive ）、ＤＶＤ（Digital Versatile Disc ）レコーダ、ＢＤ（Blu-ray Disc ：登録商標）レコーダ等の録画／再生装置及びテレビジョン受信機を含むＡＶ装置に適用することが可能となる。
【００４７】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００４８】
１  テレビジョン受信機
１１  チューナ部
１５  表示部
１８  スピーカ
２１  ＣＰＵ
２２  ＲＯＭ
２４  選局部
２６  通信部
３  リモコン
３１  操作部
９  電気機器
【図１】
2014068159.tif 000003
【図２】
2014068159.tif 000004
【図３】
2014068159.tif 000005
【図４】
2014068159.tif 000006